(57)【特許請求の範囲】
【請求項１】
飲み物用の複数の容器（５’）を配置可能な少なくとも１つのケース（５．０）と飲み物を分配するためのディスペンサ（１）との組み合わせであって、
前記ディスペンサ（１）は封じ込め構造（１．１）と少なくとも１つの引き出し部分（２）を備え、前記引き出し部分（２）は：
前記構造（１．１）にあり、前記少なくとも１つのケース（５．０）の配置に適合する区画（３）、
前記少なくとも１つのケース（５．０）を支持するためのベース（３．１）、および
前記ベース（３．１）の上に重なるようにある、飲み物を分配するための複数の開口または蛇口（３．３）を有し、
ディスペンサ（１）とケース（５．０）との間の前記組み合わせは
前記少なくとも１つのケース（５．０）と前記区画（３）は、相互の形状を有する芯出し素子（４、６）をそれぞれ備え、
前記ケース（５．０）に含まれている前記複数の容器（５’）の各口（５．２’）を、飲み物を分配するための前記重なるようにある複数の開口または蛇口（３．３）と垂直に並べることで、前記芯出し素子（４，６）の間の相互の連結によって前記区画（３）における前記ケース（５．０）の位置決めを可能にし、
前記芯出し素子（４，６）の間の前記相互の連結は前記ケース（５．０）と前記ディスペンサ（１）との間のデータの交換のための無線通信システムを作動させ、
前記無線通信システムは：
前記ディスペンサ（１）の前記引き出し部分（２）の前記区画（３）の前記芯出し素子（４）に位置する読取器（４．１）、
前記ケース（５．０）の前記芯出し素子（６）に位置し、前記読取器（４．１）による読み取りまたは書き込みに適している、不揮発性メモリを備えた、前記データの記憶のためのマイクロチップ（７）、
前記読取器（４．１）とマイクロチップ（７）との間で信号を送受するように構成されているアンテナ、および
前記読取器（４．１）とマイクロチップ（７）との間で交換されたデータの管理のための情報システム、を備え、
さらに
前記区画（３）の前記芯出し素子（４）と前記ケース（５．０）の前記芯出し素子（６）との間の連結が起きた時だけ前記無線通信システムが作動することを特徴とする、飲み物用の複数の容器（５’）を配置可能な少なくとも１つのケース（５．０）と飲み物を分配するためのディスペンサ（１）との組み合わせ。
【請求項２】
前記芯出し素子（４，６）の間の前記相互の連結は、前記芯出し素子（４，６）の一方を他方に挿入することによって行われることを特徴とする、請求項１に記載のディスペンサ（１）とケース（５．０）との間の組み合わせ。
【請求項３】
前記ケース（５．０）の前記芯出し素子（６）は：
前記ケース（５．０）の底部（５．１０）から、あるいは
前記ケース（５．０）の後ろ側または横側（５．３０）から突き出ているピンであり、
前記芯出し素子（６）は前記区画（３）の前記芯出し素子（４）とぴったりはまるように構成されており、
前記区画（３）の前記芯出し素子（４）は：
前記区画（３）の前記ベース（３．１）の上、あるいは
前記区画（３）の後壁または側壁に構成されているキャビティであることを特徴とする、請求項２に記載のディスペンサ（１）とケース（５．０）との間の組み合わせ。
【請求項４】
前記ケース（５．０）の前記芯出し素子（６）は：
前記ケース（５．０）の底部（５．１０）に、あるいは
前記ケース（５．０）の後ろ側または横側（５．３０）にあるキャビティであり、
前記芯出し素子（６）は前記区画（３）の前記芯出し素子（４）とぴったりはまるように構成され、
前記区画（３）の前記芯出し素子（４）は：
前記区画（３）の前記ベース（３．１）から、あるいは
前記区画（３）の後壁または側壁からそれぞれ突き出ているピンであることを特徴とする、請求項２に記載のディスペンサ（１）とケース（５．０）との間の組み合わせ。
【請求項５】
前記芯出し素子（４，６）の間の前記相互の連結は接触によって行われることを特徴とする、請求項１に記載のディスペンサ（１）とケース（５．０）との間の組み合わせ。
【請求項６】
前記ケース（５．０）の前記芯出し素子（６）は、前記ケース（５．０）の後ろ側または横側（５．３０）の表面に配置され、前記区画（３）の前記芯出し素子（４）と連結するように構成され、前記区画（３）の前記芯出し素子（４）は、
前記区画（３）の後壁と側壁からそれぞれ突き出ているピンから構成されることを特徴とする請求項５に記載のディスペンサ（１）とケース（５．０）との間の組み合わせ。
【請求項７】
少なくとも前記芯出し素子（６）が配置された領域で前記ケース（５．０）は透明な平面の部分（５．６）を備え、前記区画（３）の前記芯出し素子（４）は少なくとも１つの光源を備えており、前記光源は：
前記芯出し素子（４，６）の間の前記相互の連結に対してその後活性化され、そして
透明な平面の前記部分（５．６）を介して目に見え、
前記少なくとも１つの光源の前記活性化は：
正確な前記相互の連結の発生、および／または
前記ディスペンサ（１）の作動段階、および／または
前記無線通信システムの作動段階を示すことを特徴とする、請求項１〜６のうちいずれか１項に記載のディスペンサ（１）とケース（５．０）との間の組み合わせ。
【請求項８】
透明な平面の前記部分（５．６）は前記ケース（５．０）の前側（５．３０）まで延びることを特徴とする、請求項７に記載のディスペンサ（１）とケース（５．０）との間の組み合わせ。
【請求項９】
前記マイクロチップ（７）は前記ケース（５．０）の前記芯出し素子（６）に共成形または膠で固定化されることを特徴とする、請求項１〜８のうちいずれか１項に記載のディスペンサ（１）とケース（５．０）との間の組み合わせ。
【請求項１０】
前記アンテナは、前記マイクロチップ（７）に近接して前記ケース（５．０）の前記芯出し素子（６）と一体化されることを特徴とする、請求項１〜９のうちいずれか１項に記載のディスペンサ（１）とケース（５．０）との間の組み合わせ。
【請求項１１】
前記マイクロチップ（７）は集積回路またはＲＦＩＤまたはＮＦＣラベルで構成されることを特徴とする、請求項１〜１０のうちいずれか１項に記載のディスペンサ（１）とケース（５．０）との間の組み合わせ。
【請求項１２】
前記マイクロチップ（７）は高周波数１３．５６ＭＨｚラベルで構成され、およそ１〜２ｃｍの大変短い間隔のみで前記読取器（４．１）と通信するように調整されることを特徴とする、請求項１１に記載のディスペンサ（１）とケース（５．０）との間の組み合わせ。
【請求項１３】
センサーあるいは機械素子は、発生した前記相互の連結を検証するように構成され、それにより前記無線通信システムの作動を許容するが、前記芯出し素子（４，６）の少なくとも１つに存在することを特徴とする、請求項１１または１２に記載のディスペンサ（１）とケース（５．０）との間の組み合わせ。
【請求項１４】
前記読取器（４．１）とマイクロチップ（７）との間で交換した前記データの管理のための前記情報システムはＣＰＵを備え、前記ディスペンサ（１）の前記構造（１．１）に一体化されて前記読取器（４．１）に直接接続されることを特徴とする、請求項１〜１３のうちいずれか１項に記載のディスペンサ（１）とケース（５．０）との間の組み合わせ。
【請求項１５】
前記ＣＰＵは前記ディスペンサ（１）に一体化されたモニタ（１．３）に接続されることを特徴とする、請求項１４に記載のディスペンサ（１）とケース（５．０）との間の組み合わせ。
【請求項１６】
前記ＣＰＵは１つ以上のサーバとインターフェースをとるためのインターネット接続を備えていることを特徴とする、請求項１４または１５に記載のディスペンサ（１）とケース（５．０）との間の組み合わせ。
【請求項１７】
前記マイクロチップ（７）に記憶されている前記データは前記ケース（５．０）のユーザオーナーの情報を含み、さらに前記データは：
有効なマネークレジットか、
および／または前記ディスペンサ（１）から分配された飲み物の種類と量に関する嗜好か、
および／または前記ユーザオーナーの個人的な活動に関する嗜好に関し、前記データは飲み物の分配あるいはそのような分配とは無関係のサービスに関し、さらに
前記ディスペンサ（１）と前記ケース（５．０）との間のデータの交換のための前記無線通信システムは、前記マイクロチップ（７）に記憶された前記データの種類に関連して、ディスペンサ（１）によって提供される、データに含まれる情報に基づいた一連のサービスを活性化することを特徴とする、請求項１〜１６のうちいずれか１項に記載のディスペンサ（１）とケース（５．０）との間の組み合わせ。
【請求項１８】
前記データは：
携帯読取器（８）と管理ソフトウェアを介し、前記ケース（５．０）の前記ユーザオーナーあるいは前記ケース（５．０）を販売／供給することを管理する人により、前記ケース（５．０）の第１の購入または収集時か、
前記ディスペンサ（１）に一体化されたモニタ（１．３）と管理ソフトウェアを介し、前記ケース（５．０）の前記ユーザオーナーにより前記ディスペンサ（１）による前記ケース（５．０）の第１使用時かに、
前記マイクロチップ（７）に記憶可能であることを特徴とする、請求項１７に記載のディスペンサ（１）とケース（５．０）との間の組み合わせ。
【請求項１９】
前記マイクロチップ（７）に記憶されている前記データは：
前記ケース（５．０）の前記ユーザオーナーあるいは前記ケース（５．０）を販売／供給することを管理する人により前記携帯読取器（８）と管理ソフトウェアを介し、あるいは
ケース（５．０）の前記ユーザオーナーにより前記ディスペンサ（１）の前記モニタ（１．３）と管理ソフトウェアを介し、
編集可能であり上書き可能である、請求項１８に記載のディスペンサ（１）とケース（５．０）との間の組み合わせ。
【発明の詳細な説明】
【技術分野】
【０００１】
本発明は、飲み物の容器のケースの正しい位置のための手段とディスペンサでデータを交換する場合を認知するように構成されるシステムを備えた、一般的に飲料水と飲み物を供給し分配するための機械類に関する。
【背景技術】
【０００２】
最近、ディスペンサ（一般的な「飲み物の分配装置」を識別するために下記に使用される用語）は、普通の家庭や仕事や公のパーティ出張サービス環境（ホテル、売店、レストラン、バーおよびグループ）に加えて、公の場所と戸外（この理由のため、「公の泉」と呼称されもする）において好適である。
【０００３】
ディスペンサは、今や標準化した構造で機能的な特徴を持っており、そのことについて詳しく述べることは必要ではない。
【０００４】
本記述において、ディスペンサが水道給水主管および／または貯蔵タンクへの接続を必要とし、部屋および／または冷蔵された（知られた冷蔵手段を介して）温度および／または炭酸ガスが飽和された（二酸化炭素の飽和により）部屋で、飲料水および／または飲み物（必要な浄化後、知られた濾過手段および／またはバクテリア浄化部を持った）が支給できることを言えば十分であろう。
【０００５】
ディスペンサは、その時、飲み物分配蛇口（そこで、満たす単一の容器あるいは複数の容器が配置される場合）へアクセスするための少なくとも１つの取り出し部分と分配する機能をスタートさせる適切な制御とを備えている。典型的には、少なくとも通貨受け入れ装置（あるいは、適当なプリペイドカード）と引き出し部分、分配された飲み物の種類およびその量を選択するように構成された少なくとも１つのプッシュボタンパネルを備えている。
【０００６】
ディスペンサは、マルチメディアの内容を放送するための、典型的には広告メッセージの放送や公の泉を用いるための指示の表示を志向している視聴覚手段など、向上したユーザ体験用の付属設備を備えている。例示によれば、特許文献１および特許文献２を参照するが、双方ともに視聴覚内容を表示するためのモニタを備えた水ディスペンサを説明する。
【先行技術文献】
【特許文献】
【０００７】
【特許文献１】米国特許第２００４１２９７２３号明細書
【特許文献２】ドイツ特許第２０２００６００４１５１号明細書
【発明の概要】
【発明が解決しようとする課題】
【０００８】
従来技術のディスペンサの欠点は、ユーザに容器の飲み物を簡単にしかも早く分配できるように導くシステムの欠陥にあり、事象は絶対的に限定されるべきであるが、上記の事柄は特に公衆の場所に設置されたディスペンサに対して、飲み物の使用速度や浪費を犠牲にしている。
【課題を解決するための手段】
【０００９】
本発明の目的は、ディスペンサと満たされる複数の容器のケースとの組み合わせを提供することである、さらに、本発明はディスペンサの引き出し点の内部にあるケースの正確でぴったりとした割り当ての相互手段を有している。
【００１０】
本発明の別の目的は、例えばユーザの役に立つ向上した技術を可能にする、ディスペンサに通じている同定システムを有する複数の容器のケースを提供することである。
【００１１】
本発明のさらなる目的は、ケース内部に配置された複数の容器の飲み物の分配機能を簡潔にし、自動化する手段を提供することである。
【００１２】
本発明のさらなる特徴は、特許請求項に従い、好ましい実施形態の下記の記述によりよく強調され、取り囲まれた設計に示される。そのような図面が、実例となりかつ非限定的な目的を有するものとして考慮されるべきである。そこでは：
【図面の簡単な説明】
【００１３】
【図１】本発明の第１の変形によるディスペンサの正面図を示す；
【図２】図１のディスペンサの引き出し部分の細部を示す；
【図３Ａ】実質的な正面―上面の透視図による図１のディスペンサと組み合わせて使用可能な容器の変形の図面である；
【図３Ｂ】実質的な正面―下面の透視図による図１のディスペンサと組み合わせて使用可能な容器の変形の図面である；
【図４Ａ】正面透視図により、図１のディスペンサの引き出し部分に配置された図３Ａの容器を示す；
【図４Ｂ】側面透視図により、図１のディスペンサの引き出し部分に配置された図３Ａの容器を示す；
【図５Ａ】図１のディスペンサの多くの変形と組み合わせて使用可能な容器のさらなる変形を示す；
【図５Ｂ】図１のディスペンサの多くの変形と組み合わせて使用可能な容器のさらなる変形を示す；
【図５Ｃ】図１のディスペンサの多くの変形と組み合わせて使用可能な容器のさらなる変形を示す；
【図６Ａ】図１のディスペンサのさらなる変形の引き出し部分の断面細部を示している；
【図７】本発明のさらなる変形によるディスペンサおよび容器の引き出し部分の側面図である；
【図８】図７の変形に応じたディスペンサの引き出し部分および容器との間の連結システムの細部を示す；
【図９Ａ】本発明の変形によるディスペンサに配置された容器の変形の正面−側面細部の透視図を示す；
【図９Ｂ】本発明の変形によるディスペンサに配置された容器の変形の側面図を示す；
【図１０Ａ】本発明のさらなる変形によるディスペンサに配置された容器の他の変形の正面−側面細部の透視図を示す；
【図１０Ｂ】本発明のさらなる変形によるディスペンサに配置された容器の他の変形の側面図を示す；
【図１１】本発明によるディスペンサと使用可能な容器と関連するシステムの読み書き用の携帯機器を示す；
【図１２Ａ】図１１の機器の容器への挿入の段階を示す；
【図１２Ｂ】図１１の機器の容器への挿入の段階を示す；
【図１３】本発明の別の変形によるディスペンサの正面図を示す；
【図１４】図１３に示すディスペンサと使用可能な複数の容器のケースを示す；
【図１５】図１４の複数の容器のケースが使用可能な図１３のディスペンサの引き出し部分の細部を示す；
【図１６】図１４の複数の容器のケースが配置された図１３のディスペンサの引き出し部分の細部を示す；
【図１７】図１３のディスペンサの引き出し部分に配置された場合、複数の容器のケースの正面−側面部分の透視図を示す。
【発明を実施するための形態】
【００１４】
本発明の特徴は、図面にある数字を用いてさらにここに表される変形を特定的に説明する。
【００１５】
何らかの次元的で空間的な用語（例えば、「下方の」、「上方の」、「内部の」、「外部の」、「正面の」、「後部の」など）が、可能性のある作動条件に関する限定的な意図もなく、本発明の構成要素が付属図面に示される位置に言及されることにも留意する。
【００１６】
番号１は、付属図面の例に、実質的に平行六面体の四角い構成要素として現われる格納支持構造１．１を備える飲み物を分配するためのディスペンサを示す；しかしながら、所望の環境や使用形態に関する要件を考えると、ディスペンサには最も変化のある構造上の構成を採用することが可能である。
【００１７】
構造１．１は、ディスペンサ（油圧回路、タンク、冷却部、ガス部、および浄化構成要素）の標準の構成機能的な構成要素を収容するのに適合する容積を定義する。それらは分野的に従来技術の部分であるので、徹底的な議論を必要としない。
【００１８】
構造１．１では、また典型的なユーザインターフェース構成要素が得られ、水を分配し何らかの微量元素を使用するのに適している。
【００１９】
それらは：少なくとも引き出し部分２（それは、厳密に言えば、本発明の目的に関連しているので、まもなく今まで以上に詳しく記述される）、様々な選択肢のための選定制御（例えば、分配される飲み物の種類および量）、選定された選択肢を表示するための表示または情報表示を含む。
【００２０】
付属図面に示される非限定的な例において、様々な選択肢の選定制御および表示が単一の構成要素、即ち、構造１．１の上部１．２に位置するモニタ１．３に組み込まれる。
【００２１】
好ましくは、モニタ１．３は、マルチメディアの内容（例えば、広告、娯楽映画、ディスペンサの適切な使用についてのビデオ実演）の放送に加えて、実行された選択の選定および表示の双方に適合したタッチスクリーン型である。この態様についても、本発明に同様に関連しているので、下記に詳細に説明する。
【００２２】
しかしながら、後で説明するように、ここで説明する本発明の特徴は、モニタを持っていないまたは同様な選定制御を欠いているディスペンサにも適切な応用を築けることがわかる。
【００２３】
同様に、通常、従来技術のディスペンサに有効であるように、通貨（そこで、「通貨」は使用中の現在の通貨とクレジットカード、プリペイドカード、マイクロチップキーなどの支払の他の手段の双方に言及する）の挿入や受け入れのための装置の存在が必須でないことが間もなく明らかになる。
【００２４】
引き出し部分２はディスペンサの構造１．１の内側に得られる区画３を備え、区画３は分配される飲み物でいっぱいになる容器５を内蔵するための適切な寸法を有している。
【００２５】
付属図面１から１０Ｂまでの例において、そのような容器５はビンやフラスコで構成される。しかし、ここで言及されることは引き出し部分２の区画３に配置されるような形状および寸法を有するどのような容器に対しても適用されることは明らかである。
【００２６】
区画３は、容器５を支持するためのベース３．１を備え、好ましくは、容器から漏れるあるいは分配する蛇口３．３から滴り落ちるいくらかの飲み物の排水のためのグリッド３．２（あるいは、開口を備える類似した面）を備える。
【００２７】
本発明によれば、容器５および区画３は相互の芯出し要素を備え、これらは引き出し部分２の内側の容器５の正しい位置を割り当てる目的をもっている。
【００２８】
本発明（図１から図４Ｂまでに示すように）の第１の変形によれば、ピン４はベース３．１から突き出ており、その主たる機能は（しかし、下記に説明することで限定されないが）、容器５（図３Ａおよび図３Ｂ参照）の底部５．１にあって相互の形状のキャビティ６とぴったりはまることを目的として、容器５のための位置決め用で芯出し素子として機能する。
【００２９】
実際には、ピン４は飲み物（むしろ、ピンは飲み物が出てくる少なくとも１つの開口と垂直に並ぶ）を分配するため重なるようにある蛇口３．３と並ぶ。それゆえ、容器５のキャビティ６との連結は流体の流れで容器５の口５．２の正しい配列を確実にし、このことは口５．２が容器５の内側で正確に向くという確実さを提供する。
【００３０】
実際に、本発明のより一般的な変形によれば、ピン４は飲み物を分配するそのような開口３．３と垂直に並ぶことはない；ひとたび容器５がキャビティ６を介してピン４と連結するとすれば、容器５の口５．２は重要である。換言すれば、ひとたび、連結が起きると、容器５の口５．２は飲み物の流れと同じ向きになるので、容器５のキャビティ６もまた重要であるという条件で、ピン４は重なるようにある開口３．３と揃っていないベース３．１の点から直立もする：要するに、「相互の芯出し手段」により、連結手段は飲み物を分配するための重なるようにある開口３．３とともに容器５の口５．２の正しい配列に適していることを意味する。
【００３１】
本発明（図６Ａおよび図６Ｂに示す）の別の変形によれば、容器５の芯出し素子６は容器５の後部側５．３に位置し、引き出し部分２の区画３の後部壁から突き出る相互の芯出し素子４と結びつけることを目的としている。
【００３２】
変形においては、そのような芯出し素子６が容器の後部側面に配置されている。それは、区画３（図６Ｂ参照）の後壁から出ているピンの特定的な構成において、区画３の芯出し素子４と接触により連結するように構成される。
【００３３】
しかしながら、引き出し部分２（即ち、飲み物を分配するための重なるようにある蛇口や開口３．３との容器５の口５．２の正確な配列）の容器５の所望し正確な割り当てを入手するために、相互の芯出し素子６と４は、それらの相互の連結能力の基本的要件を維持しながら、図面に示したのと異なった寸法で空間的な形状をとることは明らかに可能である。
【００３４】
例えば、容器５の芯出し素子６は、そのような容器５の後ろ側５．３から突き出して区画３の後壁のキャビティとぴったりはまるピンからなり、芯出し素子６は区画３の芯出し素子４としての機能を果たす。
【００３５】
容器５の芯出し素子６および区画３の芯出し素子４は、容器５の側面側５．３および引き出し部分２の区画３の側壁にそれぞれ得られる；あるいは、そのような容器５の底部５．１および区画３のベース３．１にそれぞれ得られる（図１から図４Ｂまでの変形に既に設けられているように）の場合の可能性は等しくある。
【００３６】
要するに、区画３において容器５の正しい配置の目的を達成するために、芯出し素子４および６は適切な相互の形状を有する、即ち、例えば干渉あるいは接触位置により挿入を介して一対一の連結を達成するなどのために、容器５と区画３それぞれに形状、寸法、および空間的な配置を有する。
【００３７】
図７および図８は、本発明のさらなる変形を示す、そこでは芯出し素子６は容器５の段部５．４、即ち、容器５の側面５．３と首５．５の間の部分に得られる：具体例では、芯出し素子６は段部５．４（図に示すように、後部位置あるいは側面位置）から突き出るピン部の形状を取り、区画３の芯出し素子４と接触により連結するように構成されている、芯出し素子６は区画３の壁（それぞれ、図に示すように後部、あるいは側面）から現れるピンから構成され、容器５の芯出し素子６に対し相互の形状を有している。
【００３８】
そのような変形によれば、芯出し素子４は図８に示すように、容器５の首５．５の台座として機能しているフォークフック４．３を上に備えている。
【００３９】
要するに、フック４．３は引き出し部分２の内側にある容器５の正確な位置でユーザを楽にし、また容器５および区画３のそれぞれの芯出し素子６および４の間の相互の連結を確保する。
【００４０】
干渉または接触位置（上記に説明する異なる形状の変形による）による相互の挿入を介してそのような芯出し素子６および４の間の連結は、容器５が分配される飲み物を受けられるようにディスペンサ１のユーザが引き出し部分２の区画３の内側にある容器５を適切な位置に配置することを可能にする。
【００４１】
実際には、図４Ａ、図４Ｂ、図６Ａ、図６Ｂ、および図７に示すように、容器５の芯出し素子６と区画３の芯出し素子４の間の相互の連結が行われると、容器５の口５．２は飲み物（むしろ、少なくとも飲み物が出てくる蛇口や開口３．３と垂直に並ぶ）を分配するために重なるようにある蛇口３．３と一直線上にあるとみられ、液体の流れが容器５の内側で正確に方向づけられていることを確認する。
【００４２】
ここで言われる容器５を集中させて位置付ける目的のために、別のメリットが審美的で有効な衛生的な面双方から加えられる：分配された飲み物の流れと正確に一致した区画３の容器５の口５．２の完全な芯出しは、蛇口３．３がユーザ（破壊的な改竄または反衛生的なことがらのリスクを最小化する）に対して全く接近しにくく可視的（液体を出すためのパイプとやり取りしながら、区画３の上面壁にある単一の開口３．３から流れ出る飲み物がない可能性もある）でもないことを許容している。
【００４３】
芯出し素子６および４の間の相互の連結は、回転的には自由で、区画３の容器５の位置をいずれの方向によっても許容する。容器５の芯出し素子６および区画３の芯出し素子４は、円筒（図１から図４Ｂまでに示すように）や円錐（図５Ｂに示すように、円錐状のピン４が突き出る区画３を有する適切なディスペンサ１と組み合わせて使用することを目的としている容器５の変形を示す）など回転体の形状を有する。
【００４４】
代案として、芯出し素子６および４の形状はプリズムのおよび／または曲線の非対称の固体の形状であってもよい、その結果、容器５の位置は単一で正確な方向により必須となる。
【００４５】
図５Ａおよび図５Ｃは、その方向で底部５．１に容器５がある二つの変形を示している、そのキャビティ６は滴や台形（そのような場合、用語「ピン」は不適切であるが、「突出」または「突起素子」として一般的には意図されている）（他の変形は、別の非対称の形状のベースを有する多角形から構成されてもよい）の形状を有するピン４とぴったりはまることを目的として得られる：それゆえ、容器５は飲み物の流れと一直線になって正しい位置のメリットを不変に持ちながらも、単一方向のピン４に挿入してもよい。
【００４６】
同一の結果は、図６Ａ、図６Ｂ、図７、および図８に示す変形とともに得られる、そこでそれぞれの芯出し手段６および４の間の相互の連結は、区画３における容器５の単一で正確な挿入方向を必要とする。
【００４７】
このような構成は、それを用いてロゴス、ブランド、および／または広告メッセージを適用することができるように、容器５の部分がユーザに対して向くように確信を持って分かるようにしている。同時に、このような装置はよく考えた受取人だけがディスペンサ１および容器５を入手することを許容し、権限のない人との使用する混合を避け、商業的な観点から排他性と品質を有する製品を表示する。
【００４８】
本発明（図９Ａ、図９Ｂ、図１０Ａおよび図１０Ｂに示すように、上記変形のいくつかのみを示す）のさらなる変形によれば、容器５は透明な平面の適切な部分５．６をさらに備えていて、少なくともその領域にはその芯出し素子６が配置される。
【００４９】
透明な平面の部分５．６は、好ましくは容器５（即ち、すぐにユーザにより視覚的になる）の前側５．３を横に延びているが、ディスペンサ１のユーザは芯出し素子６が引き出し部分２の区画３の相互の芯出し素子４と正確に連結するのを視覚的にモニタすることが可能となる。
【００５０】
その上、このような変形によれば、区画３の芯出し素子４は少なくとも光源（図示していない）をさらに備え、好ましくはその１つ以上の発光ダイオード、明暗、色合いおよび周波数がディスペンサ１の異なる作動段階を示す：結果として、いったん容器５が区画３（相互の芯出し素子６および４の間の上記結合を介して）に正しく位置すると、１つ以上の発光ダイオードが稼働し、それらの光出力は、容器５が設けられている透明な平面の部分５．６のおかげで、ユーザにより容易に観察することが可能となる。
【００５１】
例えば、安定した緑色光源はディスペンサ１が作動し、容器５を受け入れる用意ができていることを意味する；青色光源は容器５と区画３との間の正確な連結がなされたことを示し、一方、パルス性の青色光源はディスペンサ１により飲み物の分配段階を識別する；あるいは、安定した赤色光源はディスペンサ１の機能不良を意味し、一方、パルス性の赤色光源は容器５が認識されないか、または容器５とディスペンサ１との間の不正確な連結を意味する。
【００５２】
今まで説明してきた変形は、ただ一つの容器５を配置することを許容する寸法の引き出し部分２を有するディスペンサ１に言及する；より大きな引き出し部分２の場合であってそれが複数の容器５を対象とした場合、区画３において割り当てる容器５の数と同数の相互の芯出し素子６および４の組数があると、その結果、容器５の口５．２は飲み物の多くの出口である蛇口３．３と垂直に並ぶ。
【００５３】
代案として、より大きな引き出し部分２の場合でそれらが複数の容器５を受け入れるよう構成されている場合をいつも参照にして、１つ以上のケース５．０（典型的にはバスケット）の位置を設け、そこに複数の容器５’が配置される：上記１つ以上のケース５．０が芯出し素子６を設けており、引き出し部分２の区画３の相互の芯出し素子４と連結するように構成されている場合、その結果１つ以上のケースの内部に配置された複数の容器５’の口５．２’は飲み物を分配する蛇口３．３と垂直に並ぶ。
【００５４】
より正確に、図１３から１７（そこには、２つの引き出し部分２からなるディスペンサ１が示されている）までに示すように、ケース５．０および区画３は引き出し部分２の内側のケース５．０の正確な位置を許容することを主目的として、相互の芯出し素子を備える。
【００５５】
そのような図面に示す本発明の別の変形によれば、ケース５．０の芯出し素子６はケース５．０の後ろ側５．３０に位置し、引き出し部分２の区画３の後壁から突き出ている相互の芯出し素子４と連結することを目的とする。
【００５６】
図示された変形では、そのような芯出し素子６はケース５．０の後部面５．３０に配置される；芯出し素子６は、区画３の芯出し素子４と接触により連結するように構成されており、特に区画３の後壁から突き出ているピンから構成される。
【００５７】
しかしながら、単一の容器５に関する変形のために記述されたことがらに全体的に類似して、相互の芯出し素子６および４は図面に示すものと異なる寸法と空間的な形状を取り、引き出し部分２の内部におけるケース５．０の所望する正確な割り当てを得るため、それらの相互の連結能力の基本的要件をなお維持している。
【００５８】
例えば、ケース５．０の芯出し素子６は芯出し素子４がぴったりとはまるキャビティから構成される；あるいは、逆の場合も同様である、芯出し素子６はケース５．０の後ろ側５．３０から突き出ているピンから構成され、区画３の後壁のキャビティとぴったりとはまり、芯出し素子６は区画３の芯出し素子４として機能を果たす。
【００５９】
ケース５．０の芯出し素子６および区画３の芯出し素子４は、ケース５．０の側面５．３０および引き出し部分２の区画３の側壁にそれぞれ得られる；あるいは、そのようなケース５．０の底部５．１０および区画３のベース３．１にそれぞれ得られる場合の可能性は等しくある。
【００６０】
要するに、区画３においてケース５．０の正しい配置の目的を実行するために、芯出し素子４および６は適切な相互の形状を有し、即ち、干渉あるいは接触位置による挿入を介して、例えば、一対一の連結を得るためにそれぞれケース５．０および区画３に形状、大きさおよび空間的な位置を有する。
【００６１】
干渉または接触位置（上記に説明した異なる形状の変形に従って）による相互の挿入を介して、そのような芯出し素子６および４の間の連結が、ケース５．０の内側に配置された複数の容器５’が分配された飲み物を受け取ることができるようにディスペンサ１のユーザが引き出し部分２の区画３の内側にあるケース５．０を適切な位置に配置できるようにする。
【００６２】
実際には、図１６および図１７に示すように、ひとたびケース５．０の芯出し素子６と区画３の芯出し素子４との間の相互の連結が起こると、ケース５．０に含まれる容器５’の口５．２’は飲み物を分配するため重なるようにある蛇口３．３と並ぶように見られ、液体の流れが容器５’の内側で正しく方向付けされていることを確認する（明らかに、この状態を得るために、ケース５．０内部の複数の容器５’の正確な配置が必要とされ、機械的または視覚的な位置手段と共に取得でき、複数の容器５’は共通のバスケットや一般的には飲み物のための容器コレクタで長く使われてきた）。
【００６３】
本発明の変形によれば、図面には示していないが、容器５単独で関連する変形に対して設けられたことに類似して、ケース５．０には少なくともその芯出し素子６が配置された領域で、透明な平面の適切な部分が装備される。
【００６４】
透明な平面の部分は、それがケース５．０（即ち、ユーザにより直ちにより可視的になる）の正面側５．３０へ横に好ましく伸びるが、ディスペンサ１のユーザは芯出し素子６が引き出し部分２の区画３の相互の芯出し素子４と正確に連結するのを視覚的にモニタすることができる。
【００６５】
その上、そのような変形によれば、区画３の芯出し素子４がさらに少なくとも光源を備える、好ましくは１つ以上の発光ダイオードを備え、それらの明暗、色合いおよび周波数はディスペンサ１の異なる作動段階を示す：結果として、ひとたびケース５．０が区画３（相互の芯出し素子６および４の間の上記連結を介して）に正しく位置している、１つ以上の発光ダイオードが稼働し、それらの光出力は、ケース５．０が設けられている透明な平面の部分のおかげで、ユーザにより容易に観察することが可能となる。
【００６６】
例えば、安定した緑色光源はディスペンサ１が作動し、ケース５．０を受け入れる用意ができていることを意味する；青色光源はケース５．０と区画３との間の正確な連結が起きたことを示し、一方、パルス性の青色光源はディスペンサ１により飲み物の分配段階を識別する；あるいは、安定した赤色光源はディスペンサ１の機能不良を意味し、一方、パルス性の赤色光源はケース５．０が認識されないか、あるいはケース５．０とディスペンサ１との間の不正確な連結を意味する。
【００６７】
図１３から図１７までに説明した変形はただ一つのケース５．０を配置することを許容する寸法の引き出し部分２を示す；より大きな引き出し部分２の場合であってそれが複数のケース５．０を対象とした場合、区画３において配置するケース５．０の数と同数の相互の芯出し素子６および４の組数は、ケース５．０に配置された複数の容器５’の口５．２’が飲み物の多くの出口である蛇口３．３と垂直に並んでいることをいつも確認する方法で存在する。
【００６８】
上記の記述から、それゆえ、本発明の特徴は満たすための容器５のディスペンサ１の引き出し部分２の区画３に、あるいは満たすための複数の容器を含むケース５．０に正しい割り当てを可能とすることは明らかである。
【００６９】
上記に説明した位置決めのタスクに加えて、それぞれ区画３および容器５（あるいは、同様に、区画３およびケース５．０）の芯出し素子４および６の間の連結は、本発明のさらなる特徴に対して機能的である。
【００７０】
そのような特徴を、複数の容器５’のケース５．０と区画３との間の相互の連結単独に関連する変形を参照して、従って図１３から図１７までのディスペンサ１とケース５．０との組み合わせを参照して、下記に説明する：しかしながら、説明されたことがらは区画３と単一の容器５との間の相互の連結、即ち、図１から図１０Ｂまでのディスペンサ１と容器５との間の組み合わせに関する変形に対しても正確に適用される。
【００７１】
さらなる機能的な特徴は、マイクロチップ７がケース５．０の芯出し素子６に共成形や膠で固定化されていることにある。
【００７２】
典型的には、マイクロチップ７は集積回路やＲＦＩＤ（Ｒａｄｉｏ  Ｆｒｅｑｕｅｎｃｙ  ＩＤｅｎｔｉｆｉｃａｔｉｏｎ）ラベル（「タグ」または「トランスポンダ」とも呼称される）から構成される。別の方法として、マイクロチップはＮＦＣ（Ｎｅａｒ  Ｆｉｅｌｄ  Ｃｏｍｍｕｎｉｃａｔｉｏｎ）電子素子、あるいは、ともかくデータをそのメモリに記憶可能で、また間もなく説明する適当な構成部品と無線通信可能な電子装置を構成する。
【００７３】
説明の都合上、芯出し素子６に位置するそのような素子を「マイクロチップ７」と一般的には呼称している。
【００７４】
まさに説明している無線通信技術は、それらの作動だけでなく当業者に広く知られた構成部品を詳述することをせずに、多くの分野で永らく使用されていて、それらは少なくとも下記の素子を構成していると言えば十分である：データを記憶した不揮発性メモリを備えた上述のマイクロチップ７、信号をマイクロチップ７と送受するためのアンテナ、アンテナは物理的な支持基板（典型的には、プラスチック膜で構成されている）を介してあるいは近接して配置された同一のマイクロチップと通常一体化されている、読み書き素子、それはそのようなマイクロチップ７と通信し、マイクロチップ７にある情報を問い正し、記述して、更新することが可能である、上記のマイクロチップ７と読み書き素子との間で交換されるデータ管理のための情報システムである。
【００７５】
本発明のディスペンサ１においては、読み書き素子（一般的には、以下「読取器」と呼称されているが、データを記述することもできる）は番号４．１と認識され、引き出し部分２の区画３の芯出し素子４に位置している。
【００７６】
上記の無線周波数技術の先行技術としては、読取器４．１はケース５．０の芯出し素子６に位置するマイクロチップ７と遠隔通信が技術的に可能である：しかしながら、本発明によれば、芯出し素子４および６の間の連結が行われるときだけ、即ち、ケース５．０が引き出し部分２に正しく挿入されて、マイクロチップ７（ケース５．０の芯出し素子６に位置する）と読取器４．１（区画３の芯出し素子４に配置される）との間の接触が得られたときに、この情報交換が発生する。
【００７７】
結果は、明確な運用周波数帯域のあるマイクロチップ７を用いて無線周波数送信システムの適切な調整により、好ましく実行される。詳細には、１３．５６ＭＨｚのいわゆるＨＦ（高周波数）マイクロチップを、読取器４．１とマイクロチップ７との最大で１〜２ｃｍの隙間の大変短い間隔のみで読み書き装置と通信できるように調整する。
【００７８】
別の案として、あるいは前回の解決法と組み合わせて、二つの素子の間の正しい通信をセンサーや機械的素子（図に示さず）と可能にしてもよい。例えば、芯出し素子４および６の少なくとも１つに挿入されたコントラストピンや近接センサーは、連結が行われそれによりマイクロチップ７と読取器４．１との間の通信を認可可能とすることを検証することができる。
【００７９】
このように、システムはマイクロチップ７と読取器４．１の間で交換されるデータの管理のための電子装置により達成される。
【００８０】
基本的に、装置は中央処理部（以下、用語「ＣＰＵ」と略される）を備え、ディスペンサ１の構造１．１に組み込まれ、接続手段４．２を介して読取器４．１と直接接続される。
【００８１】
しかし、好ましくは、ＣＰＵは表示部、特にディスペンサ１と一体化されたモニタ１．３とは強制的に接続されない。
【００８２】
その上、いつも好ましくは、ＣＰＵは１つ以上のシステム中央処理部（以下、「サーバ」と短く呼称される）とインターフェースを取るために、インターネット接続を備える、状況に応じて、ＣＰＵは例を用いて簡潔に説明される全ての情報およびデータを収容可能である。
【００８３】
本発明によれば、ケース５．０は引き出し部分２（それぞれの芯出し素子６および４の間の連結を取得する）の区画３に正しく配置された場合、ここで説明した無線システムは始動し、ディスペンサ１はマイクロチップ７の内容を読み込むことができ、ここに含まれたデータにより情報の機能的本質である一連のサービスを活性化する。
【００８４】
この為にはもちろん、ケース５．０のマイクロチップ７の所定データの入力が行われる準備段階は必要である、そのようなタスクが異なる時間と方法で、以下に要約されるように互いに選択されるか組み合わされて実行される：ケース５．０の第１の購入または収集時、マイクロチップ７はユーザ（直接同一のユーザまたはケース５．０の販売／供給の管理をしている人により）や適当な携帯読取器により供給された一連のデータでコード化される；および／または、ディスペンサ１のケース５．０の第１使用時、ユーザにより選択されたデータが、入力されたデータを読取器４．１（「読取」モードで作動している）へ順番に送りそれをマイクロチップ７にコード化するＣＰＵに接続されたモニタ１．３に表示可能なインターフェースソフトウェアの手段で直接ユーザによりいまだ未使用のマイクロチップ７に入力される；および／またはケース５．０の通常使用時、上記に説明した２つの方法のうちの１つでマイクロチップ７に当初入力されたデータは、携帯読取器を用いるかディスペンサ１のモニタインターフェース１．３を介して、同一のユーザやケース５．０の販売／供給の管理をしている人により周期的に修正されるか、あるいは上書きされる。
【００８５】
同一のユーザがモニタインターフェース１．３を介してケース５．０のマイクロチップ７の内容に従って行動する方法において、ディスペンサ１の構造１．１のこの最後の構成要素の存在はもちろん必要である。
【００８６】
ケース（５．０）（即ち、携帯読取器を用いて、既に最初はコード化されその後上書きされるそのようなマイクロチップ７で）のマイクロチップ７の内容を入力し管理する他の方法において、ユーザがインターフェースソフトウェアによりマイクロチップ７にデータを書いたりあるいは上書きすることはできないので、ディスペンサ１はモニタ１．３を欠いており、読取器４．１は読取モードだけで作動する。しかしながら、ケース５．０とディスペンサ１との間の無線通信システムは十分に作動可能であり、そのようなマイクロチップ７に入力したデータの種類に関連して、ユーザに機能的な情報サービスの大部分を提供することを可能としている。
【００８７】
非限定的な例を用いて、ケース５．０のマイクロチップ７に入力可能な情報のいくつかの種類とディスペンサ１によるケース５．０（同一のことがらを有するユーザの結果として）の認識に由来する付加的な機能を下記にリストアップする：飲み物を分配するサービスの使用を有効にするマネークレジットに関連するデータ：もし十分にあるならば、ディスペンサ１は通貨受理装置（それゆえ、またないかも知れない）を使用するユーザの必要性なしに、直接液体を分配することを進める；配給する飲み物の種類および量について、ケース５．０のユーザオーナーの嗜好および選択を認識するデータ：それゆえディスペンサ１は、ユーザによって予め選択されたまたマイクロチップ７にコード化された指示により、飲み物の種類および所定の量を直接分配する；ディスペンサ１の使用時に使用可能な情報リクエーショナルサービスを可能とするいかなる場合を除いても、ディスペンサ１の分配機能に純粋にではなく関連する場に関して、ケース５．０のユーザオーナーの個人的嗜好に関連したデータ：モニタ１．３のマルチメディア内容（画像、映画、テキストおよび音楽）の鑑賞は、インターネット接続を介して予めＣＰＵにロードしたまたはサーバからダウンロードした内容の中から選択される；健康栄養種類および／またはケース５．０のユーザオーナーのスポーツ活動に関連するデータ、ディスペンサ１は栄養補助食品で加えられた飲み物を分配し、カレンダー（季節ごとの、週ごとの、日ごとのまたは時間ごとの）によってそれらの種類を変える、そしてユーザにより達成されてマイクロチップ７にコード化される。
【００８８】
このように、無線システムはケース５．０が引き出し部分２（それぞれの芯出し素子６および４の間の連結を入手する）に正しく配置されるときに始動する：ケース５．０が透明な平面（少なくとも、その芯出し素子６が配置された領域で）の適当な部分を設け、また区画３の芯出し素子４が少なくとも光源（好ましくは１つ以上の発光ダイオード）を設けたことがすでに言われた場合、そのような無線システムの相違する作動段階を視覚的にモニタする可能性がユーザに与えられ、それぞれがそのような光源の異なる明暗、色合いおよび周波数に関連する。
【００８９】
例えば、安定した緑色光源はケース５．０とディスペンサ３との間の無線通信システムの正しい起動が起きたことを示し、一方パルス性の白色光源は情報機能種類のサービスを供給する段階を示す；あるいは、再び、黒色光源は無線システムの機能不良または飲み物分配サービスの使用を有効とするマネークレジットの不在を意味する。
【００９０】
上記のように、ディスペンサ１のモニタ１．３を介してオンサイトで直接挿入可能であることとＣＰＵおよび読取器４．１と通信する関連するインターフェースソフトウェアに加えて、そのような種類のデータが携帯読取器を用いてケース５．０のマイクロチップ７に入力する、携帯読取器はユーザが家で使用することができてケース５．０の販売／供給の管理をしている人に有効である。
【００９１】
図１１は携帯読取器を示し、番号８と認識され、図１から図４Ｂまでの変形によれば、ディスペンサ１の引き出し部分２のベース３．１の同一の構成要素を実質的に再生する。
【００９２】
そのような数字に示される携帯読取器の変形は単一の容器５を予想する本発明の実施形態に対して使用可能であることを強調しなければならない；それが図１３から図１７までに示す本発明の変形に対して使用可能であるために、ケース５．０を支持し連結することが適切であるように、より大きな寸法を有する携帯読取器をとにかく提供すればよい。
【００９３】
図１１から図１２Ｂまでの変形を参照して、携帯読取器は容器５を支持するためのベース８．１を備え、さらにピンが連結することを目的とするキャビティ６に対応する形状を有するピン９を設ける。
【００９４】
容器５が異なる形状のキャビティ６を有する場合、そのような携帯読取器８は相互の形状のピン９を明らかに有し、キャビティ６とぴったりはまることを対象とする。
【００９５】
ピン９は読取器９．１を組み込み、マイクロチップ７の読み書き双方のモードが作動するように構成されており、容器５のキャビティ６の底部６．１に位置する。
【００９６】
それゆえ、容器５を読取器８へ挿入することによりデータを入力したり更新したりまたは上書きをするユーザにより、マイクロチップ７と読取器９．１との間の通信のための無線システムを活発化する。携帯読取器８をパソコン、携帯端末、タブレットまたはスマートフォンへ接続（例えば、図示する無線あるいはＵＳＢソケットとの接続用のケーブル８．２を介した有線で）を行い、ユーザと読取器８との間の適切なインターフェースソフトウェアを操作するとデータを入力する操作が行われる。
【００９７】
携帯読取器８（パワーオン、読取り、書取り、または誤動作）の様々な作動段階でも１つ以上の識別用発光ダイオードと関連することによりユーザによって視覚的にモニタ可能となる。１つ以上の発光ダイオードがピン９の上面に配置されて、このため容器５の下部が透明となる。
【００９８】
それゆえ、上記の管理ソフトウェア（ウェブを介して部分的にオフラインで、あるいはオンラインで識別なしに作動する）は携帯読取器８に位置する特定の容器５のマイクロチップ７をコード化することを対象とし、所望のデータを入力するためのインターフェースをユーザに与え、ディスペンサ１で使用されるようにそれを容器５と関連付ける。
【００９９】
その上、同一のソフトウェアは、プロセッサプログラムで永らく使用されてきた個人情報の典型的な暗号化および守秘義務規格により、コード化情報をサーバへ送付することを許容する選択機能を有している：特定の容器５のマイクロチップ７の機能不良の場合、ディスペンサ１が遠隔的に使用可能なセキュリティアーカイブとして機能することに加えて、たとえ単一の容器５とディスペンサ１との間の通信システムの一般的な作動に影響を与えなくとも、この選択肢は長い間マイクロチップ７に入力されたデータの中央処理や統計目的に有効である。
【０１００】
ウェブを介して仮想支払の通常の規格により、審査されたソフトウェアがマネークレジットのオンライン再委託が特定の容器５に使用可能なことを許容する：そのような場合、クレジット機関はインターネットを介して貸方および借方段階を管理しなければならないので、サーバへのソフトウェア（携帯読取器８により使用可能なソフトウェアおよびディスペンサ１のモニタ１．３により使用可能なソフトウェアの双方）の遠隔接続機能は必須となる。
【産業上の利用可能性】
【０１０１】
上記の説明から明らかなように、ディスペンサ１と複数の容器５’のケース５．０との間の組み合わせは実行することを意図した目的と入手する先行技術の飲み物ディスペンサに関する一連のメリットを許容する。
【０１０２】
メリットの第１番目は、ケース５．０を正確に位置付ける可能性に関連している、その結果、ケース５．０に位置している複数の容器５’の口５．２’は重なるようにある蛇口３．３により分配される飲み物の流れと正確に揃え、ケース５．０のそれぞれの芯出し素子６および４と区画３との間の連結のおかげで、ユーザにより容器５およびディスペンサ１の使用を早めて簡潔にする。
【０１０３】
ケース５．０は情報の機能的本質の追加的なサービスを活性化させるためユーザの実際の個人的な機器として機能しながら、メリットの第２番目は複数の容器５’のケース５．０とディスペンサ１との間の無線通信システムにある、ケース５．０は今もなおディスペンサ１を介して使用可能である。
【０１０４】
メリットのこの最後の順番に関連して、ディスペンサ１の使用には関連しなくて、例えば、公の手段の自動車の駐車場の使用またはレンタルなど他の公のサービスの他のサービスを活性化するために使用することを提供可能とする：もちろん、ケース５．０（および関係するマイクロチップ７）の芯出し素子６と付加的なサービスを分配し許可を与える構造が設けられている芯出し素子４（および関連する読取器４．１）との間の連結および無線通信システムは変化しないでそのままである。
【図１】
0006331203.tif 000002
【図２】
0006331203.tif 000003
【図３Ａ】
0006331203.tif 000004
【図３Ｂ】
0006331203.tif 000005
【図４Ａ】
0006331203.tif 000006
【図４Ｂ】
0006331203.tif 000007
【図５Ａ】
0006331203.tif 000008
【図５Ｂ】
0006331203.tif 000009
【図５Ｃ】
0006331203.tif 000010
【図６Ａ】
0006331203.tif 000011
【図６Ｂ】
0006331203.tif 000012
【図７】
0006331203.tif 000013
【図８】
0006331203.tif 000014
【図９Ａ】
0006331203.tif 000015
【図９Ｂ】
0006331203.tif 000016
【図１０Ａ】
0006331203.tif 000017
【図１０Ｂ】
0006331203.tif 000018
【図１１】
0006331203.tif 000019
【図１２Ａ】
0006331203.tif 000020
【図１２Ｂ】
0006331203.tif 000021
【図１３】
0006331203.tif 000022
【図１４】
0006331203.tif 000023
【図１５】
0006331203.tif 000024
【図１６】
0006331203.tif 000025
【図１７】
0006331203.tif 000026